(57)【要約】【課題】各種の作業機器の運搬を簡単な手段でなし得る高設栽培用作業機器の運搬方法の提供。【解決手段】培土Ｓを充填して架台２上に支持された樋状の栽培槽１における上方へ凸の円弧状をなす両側縁部１ａをレールとして走行可能な運搬台車５に、耕耘機１２、培土ホッパー１６、その他の作業機器を着脱可能に搭載する。【選択図】　　　　図１
2004073145.tif 000002
【特許請求の範囲】
【請求項１】
培土を充填して架台上に支持された樋状の栽培槽における上方へ凸の円弧状をなす両側縁部をレールとして走行可能な運搬台車に、耕耘機、培土ホッパー、その他の作業機器を着脱可能に搭載することを特徴とする高設栽培用作業機器の運搬方法。
【請求項２】
培土を充填して架台上に支持された樋状の栽培槽の幅とほぼ同幅の方形枠状を呈し、耕耘機、培土ホッパー、その他の作業機器を着脱可能に搭載する台枠と、台枠の四隅部の下部にそれぞれ装着され、栽培槽における上方へ凸の円弧状の両側縁部に係合して転動する車輪とを備えることを特徴とする高設栽培用作業機器の運搬台車。
【請求項３】
前記車輪が、栽培槽の側縁部の外側に位置するつばを有することを特徴とする請求項２記載の高設栽培用作業機器の運搬台車。
【請求項４】
前記車輪が、栽培槽の側縁部の内側に位置するつばを有することを特徴とする請求項２記載の高設栽培用作業機器の運搬台車。
【請求項５】
前記耕耘機が、栽培槽の幅方向及び深さ方向へ移動調整可能に設けられ、培土を耕耘する耕耘装置と、耕耘装置を駆動する駆動装置とを有することを特徴とする請求項２、３又は４記載の高設栽培用作業機器の運搬台車。
【請求項６】
前記耕耘機が、培土の飛散を防止するカバーを有することを特徴とする請求項５記載の高設栽培用作業機器の運搬台車。
【請求項７】
前記培土ホッパーが、台枠とほぼ同等の大きさの底面積を有する箱形のホッパー本体と、ホッパー本体の底壁に設けた培土排出口を開閉するスライドゲートとを有することを特徴とする請求項２、３又は４記載の高設栽培用作業機器の運搬台車。
【発明の詳細な説明】
【０００１】
【発明の属する技術分野】
本発明は、高設栽培に用いる耕耘機、培土ホッパー、その他の作業機器を運搬する高設栽培用作業機器の運搬方法及びその運搬台車に関する。
【０００２】
【従来の技術】
従来、架台を介して９０〜１２０ｃｍの高さに支持された樋状の栽培槽に培土を充填し、この培土に苺やトマト、軟弱野菜、花卉、メロン等を栽培する高設栽培において、それに用いる作業機器の運搬方法としては、栽培槽を跨いで長手方向に沿って移動可能な専用の移動台車に、作業機器としての耕耘機を搭載する方法が知られている（特開２００１−３５２８０１号公報参照）。
上記専用の移動台車は、下部に転輪を軸着して栽培槽の両側方を移動する左右一対の支持リンクの上部を、原動機載置台によって連結して一体に構成し、両支持リンクの内側にガイド部材を設けて、栽培槽の架台の外側に接触、案内される構成とされているものである。
【０００３】
【発明が解決しようとする課題】
しかし、従来の高設栽培用作業機器の運搬方法では、移動台車が耕耘機を運搬する専用のものであるため、他の作業機器、例えば培土を栽培槽に充填するための培土ホッパー、固形肥料を培土に散布するための肥料ホッパー、あるいは収穫物若しくは苗を収容するためのボックス等の運搬には、別個の台車が必要となり、作業機器の運搬が煩雑となる不具合がある。
一方、移動台車では、特定の作業機器以外の搭載が不可能になる上、作業機器が地面の凹凸に伴って上下動すると共に、栽培槽を跨ぐ高脚で重心が高いため、移動が円滑に行われない不具合がある。
【０００４】
そこで、本発明は、各種の作業機器の運搬を簡単な手段でなし得る高設栽培用作業機器の運搬方法、及び各種の作業機器の運搬を可能とし、かつ、移動を円滑にし得る高設栽培用作業機器の運搬台車を提供することを課題とする。
【０００５】
【課題を解決するための手段】
前記課題を解決するため、本発明の高設栽培用作業機器の運搬方法は、培土を充填して架台上に支持された樋状の栽培槽における上方へ凸の円弧状をなす両側縁部をレールとして走行可能な運搬台車に、耕耘機、培土ホッパー、その他の作業機器を着脱可能に搭載することを特徴とする。
【０００６】
一方、高設栽培用作業機器の運搬台車は、培土を充填して架台上に支持された樋状の栽培槽の幅とほぼ同幅の方形枠状を呈し、耕耘機、培土ホッパー、その他の作業機器を着脱可能に搭載する台枠と、台枠の四隅部の下部にそれぞれ装着され、栽培槽における上方へ凸の円弧状の両側縁部に係合して転動する車輪とを備えることを特徴とする。
【０００７】
前記車輪は、栽培槽の側縁部の外側に位置するつばを有することが好ましい。
前記車輪は、栽培槽の側縁部の内側に位置するつばを有していてもよい。
前記耕耘機は、栽培槽の幅方向及び深さ方向へ移動調整可能に設けられ、培土を耕耘する耕耘装置と、耕耘装置を駆動する駆動装置とを有することが好ましい。
上記耕耘機は、培土の飛散を防止するカバーを有することが望ましい。
又、前記培土ホッパーは、台枠とほぼ同等の大きさの底面積を有する箱形のホッパー本体と、ホッパー本体の底壁に設けた培土排出口を開閉するスライドゲートとを有することが好ましい。
【０００８】
【作用】
本発明の高設栽培用作業機器の運搬方法においては、各種の作業機器の運搬が栽培槽の両側縁部をレールとして走行する１台の運搬台車によって行われる。
【０００９】
耕耘機、培土ホッパー以外の作業機器としては、固形肥料を散布する肥料ホッパーや収穫物等を収容するボックス等が挙げられる。
【００１０】
一方、高設栽培用作業機器の運搬台車においては、各種の作業機器の搭載が可能となり、かつ、栽培槽の両側縁部をレールとして走行可能となる。
【００１１】
車輪が、レールとしての栽培槽の側縁部の外側に位置するつばを有していることにより、運搬台車が脱線し難くなる。
車輪が、レールとしての栽培槽の側縁部の内側に位置するつばを有していても、同様に運搬台車が脱線し難くなる。
耕耘機が、栽培槽の幅方向及び深さ方向へ移動調整可能に設けられ、培土を耕耘する耕耘装置と、耕耘装置を駆動する駆動装置とを有することにより、駆動装置を作動し、運搬台車を押し動かすことによって、培土の所要位置が所要深さで耕耘される。
上記耕耘機が、培土の飛散を防止するカバーを有していることにより、培土の飛散が防止される。
又、培土ホッパーが、台枠とほぼ同等の大きさの底面積を有する箱形のホッパー本体と、ホッパー本体の底壁に設けた培土排出口を開閉するスライドゲートとを有することにより、スライドゲートをスライドさせて培土排出口を適当に開け、運搬台車を押し動かすことによって、栽培槽への培土の充填が自動的に行われる。
【００１２】
【発明の実施の形態】
以下、本発明の実施の形態について図面を参照して説明する。
図１は本発明に係る高設栽培用作業機器の運搬方法の実施の形態の一例を示す斜視図である。
図中１は耐候性ポリプロピレン（ＰＰ）等の合成樹脂からなる樋状の栽培槽で、この栽培槽１は、上方へ凸の円弧状の両側縁部１ａを介して架台２上に９０〜１２０ｃｍの高さに支持されており、その底部中央には、図２に示すように、下方へ凸の矩形箱形のドレーン（図示せず）付き排液溜まり１ｂが設けられ、かつ、温湯又は温風が送給されるパイプ３（図４参照）を挿通する透孔４が、排液溜まり１ｂの端壁に設けられている。
そして、栽培槽１は、排液溜まり１ｂに目皿１ｃを渡して培土Ｓ（図１参照）を充填し、苺やトマト、軟弱野菜、花卉、メロン等の高設栽培に供されるものである。
ちなみに、苺の栽培に供される栽培槽は、１０アール当り、７００〜８００ｍの長さを有し、幅３０ｃｍの所に２条植えして７２００株程度定植されるものである。
【００１３】
栽培槽１上には、図１、図３に示すように、後述する耕耘機、培土ホッパー、その他の作業機器を着脱可能に搭載する運搬台車５が、両側縁部１ａをレールとして走行可能に設けられている。
運搬台車５は、栽培槽１の幅とほぼ同幅の方形枠状を呈し、作業機器を着脱可能に搭載する台枠６と、台枠６の四隅部の下部にそれぞれ装着され、栽培槽１の側縁部１ａの外側に位置するつば７ａを有して栽培槽１の両側縁部１ａ上を転動する片つば車輪７とを備えている。
台枠６は、栽培槽１の幅とほぼ同幅にして、かつ、その幅より適宜に長い長さの矩形枠状の台枠本体６ａと、台枠本体６ａの両長辺に沿うようにして長辺と平行に短辺間に掛け渡した長辺補助杆６ｂと、台枠６の後端部（図３においては左上端部）において短辺と平行に両長辺補助杆６ｂ間に掛け渡した後部短辺補助杆６ｃと、台枠６の前端部（図３においては右下端部）において短辺と平行に両長辺補助杆６ｂ間に掛け渡した角筒状の第１、第２前部短辺補助杆６ｄ，６ｅとからなる。
そして、台枠６の後端部における両長辺補助杆６ｂ及び後部短辺補助杆６ｃには、後述する耕耘機の駆動装置を固定する固定具８がそれぞれ取付けられていると共に、台枠６の前端部における第１、第２前部短辺補助杆６ｄ，６ｅには、上記耕耘機の耕耘装置を保持する保持具９がそれぞれ取り付けられており、両保持具９は、耕耘装置の耕耘位置を移動調整すべく、それぞれ前部短辺補助杆６ｄ，６ｅに沿って移動可能に設けられ、又、第１前部短辺補助杆６ｄの保持具９は、耕耘装置の耕耘深さを０〜１０ｃｍの範囲で移動調整すべく、上下動可能に設けられている。
なお、第１前部短辺補助杆６ｄの保持具９の上下動に加えて、第２前部短辺補助杆６ｅの保持具９を上下動させることで、耕耘深さを０〜−５ｃｍ位の範囲で調整可能とすることはいうまでもない。
一方、片つば車輪７は、図２、図３に示すように、台枠６の四隅部の下部において台枠本体６ａの長辺と長辺補助杆６ｂに掛け渡したコ字状のブラケット１０に軸１１を介して支承されている。
【００１４】
運搬台車５の台枠６には、図１、図２、図４及び図５に示すように、作業機器の一つである耕耘機１２が着脱可能に搭載されている。
耕耘機１２は、前述した２つの保持具９を介して台枠６の第１、第２前部短辺補助杆６ｄ，６ｅに栽培槽１の幅方向及び深さ方向へ移動調整可能に装着され、培土Ｓを８７ｍｍの耕耘幅で耕耘するロータリ型の耕耘装置１３と、前述した３つの固定具８を介して台枠６の後端部における台枠本体６ａ、両長辺補助杆６ｂ及び後部短辺補助杆６ｃに固定され、耕耘装置１３を図４において右回転（前回転）するように駆動する駆動装置１４と、培土Ｓの飛散を防止すべく耕耘装置１３を覆う開閉式のカバー１５とを有するもので、背負い式の刈払機を改良したもの（株式会社　丸山製作所製）である。
【００１５】
そして、耕耘機１２を運搬台車５に搭載して運搬するには、固定具８により駆動装置１４を台枠６に固定して耕耘機１２を運搬台車５に搭載すると共に、両保持具９を適宜に移動調整し、所要の耕耘位置と耕耘深さとなるようにして耕耘装置１３を台枠６に取り付けた後に、駆動装置１４を作動して耕耘装置１３を駆動しながら運搬台車５を押し動かし、栽培槽１の両側縁部１ａをレールとして走行させることによって耕耘機１２が運搬され、培土Ｓの耕耘が行われると共に、培土Ｓの飛散が防止される。
なお、培土Ｓの耕耘は、通常は運搬台車５を図４において右方向へ移動させて行い、特に根が張った場合には運転台車５を図４において左方向へ移動させると、根切りがスムースに行われるものである。
【００１６】
図６は本発明に係る高設栽培用作業機器の運搬方法の実施の形態の他の例を示す斜視図である。
この高設栽培用作業機器の運搬方法は、上述した実施の形態の方法が耕耘機１２を運搬台車５に着脱可能に搭載して運搬するのに対し、栽培槽１に培土Ｓを充填するための培土ホッパー１６を運搬台車５に着脱可能に搭載して運搬するものであり、培土ホッパー１６は、運搬台車５の台枠６とほぼ同等の大きさの底面積を有する箱形のホッパー本体１７と、ホッパー本体１７の底壁に設けた培土排出口１８を開閉するスライドゲート１９と、培土Ｓを培土排出口１８へ案内すべくホッパー本体１６内に貼付したガイドシート２０と、ホッパー本体１７及びスライドゲート１９と運搬台車５の固定具８及び保持具９との干渉を防止すべくホッパー本体１７の下部両側に設けた脚部材２１とからなり、培土Ｓを収容した培土ホッパー１６を運搬台車５に搭載した後、スライドゲート１９を適宜に開きながら運搬台車５を押し動かし、栽培槽１の両側縁部１ａをレールとして走行させることによって培土ホッパー１６が運搬され、栽培槽１への培土Ｓの充填が行われるものである。
【００１７】
図７は本発明に係る高設栽培用作業機器の運搬方法の実施の形態の更に他の例を示す斜視図である。
この高設栽培用作業機器の運搬方法は、上述した実施の形態の方法が培土ホッパー１６を運搬台車５に着脱可能に搭載して運搬するのに対し、栽培槽１に充填する培土Ｓを収容した袋２２自体を培土ホッパー１６の代わりとし、複数の袋２２を運搬台車５に搭載して運搬するものであり、適宜な培土排出口２３を形成して培土ホッパー１６の場合と同様にして栽培槽１への培土Ｓの充填が行われるものである。
【００１８】
なお、上述した各実施の形態においては、高設栽培用作業機器として、耕耘機１２、培土ホッパー１６等を用いる場合に説明したが、これに限定されるものではなく、固形肥料を散布する肥料ホッパー、収穫物や苗を収容するボックス、その他の作業器であって、運搬台車５に着脱可能に搭載されるものであればよい。
又、車輪は、図示した栽培槽１の側縁部１ａの外側に位置するつば７ａを有する片つば車輪７に限らず、栽培槽１の側縁部１ａの内側に位置するつばを有する片つば車輪であってもよく、又々、栽培槽１の側縁部１ａの両側につばを有するものでもよいし、あるいはロープ車のように円周に栽培槽１の側縁部１ａと係合する溝を有するものでもよく、結局、栽培槽１の側縁部１ａに係合して転動するものであればよい。
更に、耕耘機１２の駆動装置１４は、エンジン（内燃機関）に限らず、電動機等であってもよく、かつ、耕耘装置１３は、培土Ｓの耕耘に限らず、固形肥料と培土Ｓの混合に使用してもよい。
更に又、運搬台車５は、１台を使用する場合に限らず、同一の栽培槽１上に複数台を縦列に連結して使用したり、あるいは隣り合う栽培槽１上の運搬台車５に台板を掛け渡して使用するようにしてもよく、このようにすることにより、運搬能力の増大を図ることができる。
【００１９】
【発明の効果】
以上説明したように、本発明の高設栽培用作業機器の運搬方法によれば、各種の作業機器の運搬が栽培槽の両側縁部をレールとして走行する１台の運搬台車によって行われるので、各種の作業機器の運搬を簡単な手段で行うことができる。
【００２０】
一方、高設栽培用作業機器の運搬台車によれば、各種の作業機器の搭載が可能となり、かつ、栽培槽の両側縁部をレールとして走行可能となるので、１台で各種の作業機器の運搬ができ、かつ、移動を円滑にすることができる。
【００２１】
そして、車輪が、栽培槽の側縁部の外側あるいは内側に位置するつばを有していることにより、運搬台車が脱線し難くなり、運搬台車の移動を安全にすることができる。
又、耕耘機が、栽培槽の幅方向及び深さ方向へ移動調整可能に設けられ、培土を耕耘する耕耘装置と、耕耘装置を駆動する駆動装置とを有することにより、駆動装置を作動し、運搬台車を押し動かすことによって、培土の所要位置を所要深さで自動的に耕耘することができる。
上記耕耘機が、培土の飛散を防止するカバーを有していることにより、培土の飛散が防止され、培土のロスを無くすることができる。
更に、培土ホッパーが、台枠とほぼ同等の大きさの底面積を有する箱形のホッパー本体と、ホッパー本体の底壁に設けた培土排出口を開閉するスライドゲートとを有することにより、スライドゲートをスライドさせて培土排出口を適宜に開け、運搬台車を押し動かすことによって栽培槽への培土の充填を自動的に行うことができる。
【図面の簡単な説明】
【図１】本発明に係る高設栽培用作業機器の運搬方法の実施の形態の一例を示す斜視図である。
【図２】図１の要部の断面図である。
【図３】図１の運搬方法に使用する運搬台車の斜視図である。
【図４】図２におけるＩＶ−ＩＶ線矢視断面図である。
【図５】図１の要部の拡大斜視図である。
【図６】本発明に係る高設栽培用作業機器の運搬方法の実施の形態の他の例を示す斜視図である。
【図７】本発明に係る高設栽培用作業機器の運搬方法の実施の形態の更に他の例を示す斜視図である。
【符号の説明】
１　栽培槽
１ａ　側縁部
２　架台
５　運搬台車
６　台枠
７　片つば車輪
７ａ　つば
８　固定具
９　保持具
１２　耕耘機
１３　耕耘装置
１４　駆動装置
１５　カバー
１６　培土ホッパー
１７　ホッパー本体
１８　培土排出口
１９　スライドゲート
Ｓ　培土
【図１】
2004073145.tif 000003
【図２】
2004073145.tif 000004
【図３】
2004073145.tif 000005
【図４】
2004073145.tif 000006
【図５】
2004073145.tif 000007
【図６】
2004073145.tif 000008
【図７】
2004073145.tif 000009